(57)【要約】【課題】  クロストーク等を起因とするビットシンク等のシンク信号の誤検出を防止し、ウォブリングとの同期を安定化することが可能な同期検出回路を提供する。【解決手段】  第１の変調パターンを復調する第１の復調手段と第２の変調パターンを復調する第２の復調手段とを具備する。そして、第１の復調手段にて第１の変調パターンを検出し、第１の変調パターンの検出タイミングから所定時間後に第２の復調手段により復調して第２の変調パターンが存在しない時の第１の変調パターンを基にシンク信号の検出を行い、タイミング同期を決定する。【選択図】        図１
2005293801.tif 000002
【特許請求の範囲】
【請求項１】
記録媒体のトラックがトラック幅方向に蛇行状にウォブリングし、前記ウォブリングを所定の一定周波数による正弦波のキャリアに対して複数の変調方式により変調することでアドレス情報が記録されているディスクから、アドレス情報を検出するためのタイミングを決定する同期検出回路において、
第１の変調パターンを復調する第１の復調手段と第２の変調パターンを復調する第２の復調手段とを有し、前記第１の復調手段にて第１の変調パターンを検出し、前記第１の変調パターンの検出タイミングから所定時間後に前記第２の復調手段により復調して第２の変調パターンが存在しない時の第１の変調パターンを基にシンク信号の検出を行い、タイミング同期を決定することを特徴とする同期検出回路。
【請求項２】
前記第１の変調パターンの検出タイミングから所定時間後に前記第２の復調手段により復調して第２の変調パターンが存在しない時の前記第１の変調パターンの検出間隔が所定値であることによりシンク信号の検出を行い、タイミング同期を決定することを特徴とする請求項１に記載の同期検出回路。
【請求項３】
記録媒体のトラックがトラック幅方向に蛇行状にウォブリングし、前記ウォブリングが所定の一定周波数による正弦波のキャリアに対して複数の変調方式により変調することでアドレス情報が記録されているディスクから、アドレス情報を検出するためのタイミングを決定する同期検出回路において、
第１の変調パターンを復調する第１の復調手段と第２の変調パターンを復調する第２の復調手段とを有し、前記第１の復調手段にて第１の変調パターンを検出し、前記第１の変調パターンの検出間隔が所定値であることにより仮のシンク信号を検出し、前記仮のシンク信号の検出タイミングから所定時間後に前記第２の復調手段により復調して第２の変調パターンが存在しない時のみ、正しいシンク信号としてタイミング同期を決定することを特徴とする同期検出回路。
【請求項４】
前記第１の復調手段にて検出された第１の変調パターンの検出後、所定時間経てから前記第２の復調手段による復調動作を開始し、更に第２の所定時間後に第２の変調パターンの有無を判定することを特徴とする請求項１〜３のいずれか１項に記載の同期検出回路。
【請求項５】
記録媒体のトラックがトラック幅方向に蛇行状にウォブリングし、記ウォブリングが所定の一定周波数による正弦波のキャリアに対して複数の変調方式により変調することでアドレス情報が記録され、前記アドレス情報は複数のアドレスユニットで構成され、前記アドレスユニットのうちの一部はシンクユニットであり、前記シンクユニットは特定の間隔を持った変調パターンで構成されているディスクから、アドレス情報を検出するためのタイミングを決定する同期検出回路において、
第１の変調パターンを復調する第１の復調手段と、第２の変調パターンを復調する第２の復調手段と、前記第１の変調パターンの間隔を検出する検出手段とを有し、前記第１の復調手段にて第１の変調パターンを検出し、前記第１の変調パターンの間隔を検出する検出手段により前記特定の間隔を検出し、前記特定の間隔の検出タイミングから所定時間後に前記第２の復調手段により復調して第２の変調パターンが存在しない時の前記パターン検出タイミングを基にシンクユニットの検出を行い、タイミング同期を決定することを特徴とする同期検出回路。
【発明の詳細な説明】
【技術分野】
【０００１】
本発明は、周回状に形成されたトラックをウォブリングすることでアドレス情報が記録された光ディスクのウォブリングを検出し、ウォブリングの変調情報からアドレス情報を検出する際のタイミングを検出する同期検出回路に関するものである。
【背景技術】
【０００２】
従来より、記録トラックをサーボ帯域よりも高周波で蛇行、即ち、ウォブリングさせ、このウォブリングの一部を変調することで、アドレス情報を記録したディスクが知られている。
【０００３】
例えば、特開２００３−１２３２６７号公報に記載されているように、ウォブリングの波の一部をＭＳＫ変調し、アドレス情報を記録するものがある（特許文献１参照）。この従来例では、５６周期を一つの情報ユニットとして区切り、幾つかの情報ユニットをそれぞれ１つのビットとして表現している。この時、アドレスの先頭を示すために、情報ユニットのうち幾つかをシンクユニットとして用意すると共に、各ユニットの５６周期の先頭を示すために、ＭＳＫ変調で表されるマークを５６周期毎にビットシンクマークとして配置している。
【０００４】
ここで、ＭＳＫ変調マークはウォブル３周期で構成されている。通常のウォブル信号、ｃｏｓ（ωｔ）に対してＭＳＫ変調マークはウォブル周期で、ｃｏｓ（１．５ωｔ）、−ｃｏｓ（ωｔ）、−ｃｏｓ（１．５ωｔ）で表現される連続する信号波形となっている。また、アドレス情報としては、図１０（ａ）、（ｂ）に示すようにこのビットシンクマークと共に、アドレスビットがそれぞれ１か０かに応じて、同様のＭＳＫ変調マークを１４周期後または１２周期後に配置することに加えて、更に、高調波による第２の変調を加えたウォブリングを１８周期後から５６周期まで配置している。
【０００５】
この第２の変調では、ウォブル周波数の２倍の周波数成分を約１／４程度の振幅で付加し、その正負でアドレスビットを表現するものである。これを上記と同様に数式で表現すると、アドレスビットが１の時には、
ｃｏｓ（ωｔ）＋０．２５・ｓｉｎ（２ωｔ）    ：ＳＴＷｂｉｔ＝１
となり、アドレスビットが０の時には、
ｃｏｓ（ωｔ）−０．２５・ｓｉｎ（２ωｔ）    ：ＳＴＷｂｉｔ＝０
となる。これは２倍成分による変調方式なので、Harmonic  Modulation  Wobbleと呼ばれている。
【０００６】
具体的には、前者では再生ウォブリング信号の立ち上がりが緩やかで立ち下りが急峻となり、後者では立ち上がりが急峻で立ち下がりが緩やかといった鋸の歯のような波形になるので、Saw−Tooth  Wobble（ＳＴＷ）とも呼ばれている。
【０００７】
更に、一つのアドレスワードは８ユニットのシンク部と７５ユニットのデータ部で構成されている。アドレスワードの先頭を示すシンク部は図１１（ａ）に示すようにモノトーンユニットと４種のシンクユニットが交互に配置されており、その後にはデータユニットが続いている。このシンクユニットは図１１（ｂ）に示すようにシンクユニットにおけるＭＳＫマークの配置は他にはないユニークなものとなっている。このため、アドレスのワード先頭を検出し易いようになっている。こちらのシンクを先述のビットシンクマークと区別するために、ワードシンクと呼ぶことにする。
【０００８】
次に、このＭＳＫマークの検出方法を説明する。図１２はＭＳＫマークの検出回路の一例を示すブロック図である。まず、ＰＬＬ１１回路１１は再生された再生ウォブル信号をもとにＰＬＬ動作を行い、再生ウォブル信号に同期したクロックを生成する。キャリア信号生成器１０はこのクロックをもとにウォブル周波数と位相同期したキャリア信号を生成する。このキャリア信号はモノトーン部と同じ位相のＣＯＳ波となっているので、Ａｃｏｓ（ωｔ）と表現できる。
【０００９】
次に、乗算器１２にてキャリア信号と再生ウォブリング信号を乗算後、ローパスフィルタ１３にて、低域成分を抽出することで、ＭＳＫマークにおける位相差が振幅値として検出される。
【００１０】
この様子を図１３に示しつつ数式でも説明する。図１３（ａ）の実線はＭＳＫマーク部分の再生ウォブル信号で、破線は基準キャリア信号との乗算結果である。キャリア信号の位相をθ、再生ウォブリング信号の位相をφとすると、
ｃｏｓ（θ）×Ａｃｏｓ（φ）
＝０．５・Ａ・｛ｃｏｓ（θ−φ）−ｃｏｓ（θ＋φ）｝
と計算できる。ここで、第２項は元の基準キャリア信号の２倍周波数の成分であり、基準キャリア信号の周波数までを帯域とするＬＰＦで除去可能である。第１項は検出結果そのものであり、モノトーン期間では同位相のために、
ＣＯＳ（０）＝０．５Ａ
となるが、ＭＳＫマーク部においては位相が反転しているので、
ＣＯＳ（π）＝−０．５Ａ
となって、これを２値化することで、図１３（ｂ）に示すようにＭＳＫマークの位置を検出することができる。
【００１１】
同様に、上記ＳＴＷ波形により前述のＳＴＷｂｉｔの値が１／０のどちらかを検出することができる。こちらも、キャリア信号と乗算することで検出が可能で、同様に基本ウォブリング周期の２倍の周波数になるような第２キャリア信号を乗算することで、レベルに変換される。
【００１２】
上記と同様に数式で示す。キャリア信号をｓｉｎ（２ωｔ）とすると乗算結果は、
｛ｃｏｓ（ωｔ）＋０．２５・ｓｉｎ（２ωｔ）｝・ｓｉｎ（２ωｔ）
＝０．２５ｓｉｎ（２ωｔ）・ｓｉｎ（２ωｔ）
＋ｃｏｓ（ωｔ）・ｓｉｎ（２ωｔ）
＝０．２５｛ｃｏｓ（０）−ｃｏｓ（２ωｔ）｝／２
＋｛ｓｉｎ（３ωｔ）＋ｓｉｎ（ωｔ）｝／２
となる。第１項は１となる。第２項以降はそれぞれ２倍、３倍、１倍の周波数成分となっていて、ＬＰＦで除去可能である。また、ＳＴＷｂｉｔ＝０の時には０．２５の係数がマイナスとなるので、第１項は−１となって、ＬＰＦ後の値を、例えば、２値化することで検出可能である。なお、この第２の変調をＳＴＷ変調と呼ぶことにする。
【００１３】
このような変調方式において、ウォブリングのタイミングを把握して、適宜なタイミングにおいて検出動作を行う必要がある。そのため、ウォブルカウント時には各ユニットの先頭に存在するＭＳＫマークを検出し、５６ウォブル周期の同期をとりつつ、更には、シンクユニットを検出して、８３ユニット周期の同期をとっている。
【特許文献１】特開２００３−１２３２６７号公報
【発明の開示】
【発明が解決しようとする課題】
【００１４】
近年、高密度記録を実現するためにトラック幅を小さくしていることから、隣接トラックからのクロストークを受け易い。更に、線速度一定速度（ＣＬＶ）の場合には、隣接トラックとのウォブリングの関係が一定でないため、両側のトラックのウォブリングの状況によってクロストークが増大することがある。
【００１５】
クロストークが発生すると、記録再生する当該トラック自身のウォブリング信号に隣接トラックにおける変調の影響が顕著に現れる。具体的には、当該トラックのウォブリング信号振幅が隣接トラックの変調に応じた振幅変調を受ける。その結果、振幅変調を受けたウォブリング信号を復調すると、復調結果には隣接トラックの変調成分であるＭＳＫマークが漏れ込んでくることになり、本来のＭＳＫマークの検出結果に隣接トラックのタイミングでのＭＳＫマーク信号が混入することになる。
【００１６】
この混入は、シンク検出に大きな影響を及ぼす。つまり、ビットシンクマークでないＭＳＫマークに対して丁度５６ウォブル前または後ろのタイミング位置に漏れ込むと、漏れ込んだ信号をビットシンクマークとして誤検出することがある。もし、ビットシンクの位置を誤ると、その後のアドレス再生に支障を起こすだけでなく、ユーザーデータの記録再生が滞ってしまう。
【００１７】
先述の特許文献１のものでは、ビット同期について、ＭＳＫマークを検出し、その周期性を利用して同期をかけることしか言及されておらず、上記問題点については対策されていなかった。
【００１８】
本発明は、上記従来の問題点に鑑みなされたもので、その目的は、クロストーク等を起因とするビットシンク等のシンク信号の誤検出を防止し、ウォブリングとの同期を安定化することが可能な同期検出回路を提供することにある。
【課題を解決するための手段】
【００１９】
本発明は、上記目的を達成するため、記録媒体のトラックがトラック幅方向に蛇行状にウォブリングし、前記ウォブリングを所定の一定周波数による正弦波のキャリアに対して複数の変調方式により変調することでアドレス情報が記録されているディスクから、アドレス情報を検出するためのタイミングを決定する同期検出回路において、第１の変調パターンを復調する第１の復調手段と第２の変調パターンを復調する第２の復調手段とを有し、前記第１の復調手段にて第１の変調パターンを検出し、前記第１の変調パターンの検出タイミングから所定時間後に前記第２の復調手段により復調して第２の変調パターンが存在しない時の第１の変調パターンを基にシンク信号の検出を行い、タイミング同期を決定することを特徴とする。
【００２０】
また、本発明は、記録媒体のトラックがトラック幅方向に蛇行状にウォブリングし、前記ウォブリングが所定の一定周波数による正弦波のキャリアに対して複数の変調方式により変調することでアドレス情報が記録されているディスクから、アドレス情報を検出するためのタイミングを決定する同期検出回路において、第１の変調パターンを復調する第１の復調手段と第２の変調パターンを復調する第２の復調手段とを有し、前記第１の復調手段にて第１の変調パターンを検出し、前記第１の変調パターンの検出間隔が所定値であることにより仮のシンク信号を検出し、前記仮のシンク信号の検出タイミングから所定時間後に前記第２の復調手段により復調して第２の変調パターンが存在しない時のみ、正しいシンク信号としてタイミング同期を決定することを特徴とする。
【００２１】
更に、本発明は、記録媒体のトラックがトラック幅方向に蛇行状にウォブリングし、記ウォブリングが所定の一定周波数による正弦波のキャリアに対して複数の変調方式により変調することでアドレス情報が記録され、前記アドレス情報は複数のアドレスユニットで構成され、前記アドレスユニットのうちの一部はシンクユニットであり、前記シンクユニットは特定の間隔を持った変調パターンで構成されているディスクから、アドレス情報を検出するためのタイミングを決定する同期検出回路において、第１の変調パターンを復調する第１の復調手段と、第２の変調パターンを復調する第２の復調手段と、前記第１の変調パターンの間隔を検出する検出手段とを有し、前記第１の復調手段にて第１の変調パターンを検出し、前記第１の変調パターンの間隔を検出する検出手段により前記特定の間隔を検出し、前記特定の間隔の検出タイミングから所定時間後に前記第２の復調手段により復調して第２の変調パターンが存在しない時の前記パターン検出タイミングを基にシンクユニットの検出を行い、タイミング同期を決定することを特徴とする。
【発明の効果】
【００２２】
本発明によれば、ウォブリングにＭＳＫ変調とＳＴＷ変調のように２種類の変調方式にてアドレス情報が存在するディスクのアドレス情報のシンク検出において、ＭＳＫマークを検出した上で、直後のＳＴＷ変調波形の有無を検出することで、クロストークや欠陥がもとで発生するシンク誤検出が防止できるので、内部カウンタを正常にウォブリング信号と同期させることができ、その結果、正常にアドレス検出が実施でき、更には、円滑な記録再生動作を実現できる。
【発明を実施するための最良の形態】
【００２３】
次に、発明を実施するための最良の形態について図面を参照して詳細に説明する。なお、光ディスクのトラックをウォブリングすることでアドレス情報を記録する方法は背景技術の説明と同様である。
【００２４】
（第１の実施形態）
図１は本発明による同期検出回路の第１の実施形態を示すブロック図である。図１において、まず、ＰＬＬ回路１１は再生されたウォブリング信号を基にＰＬＬ動作を行い、再生ウォブリング信号と位相同期した基準クロックを生成する。また、キャリア信号生成器１０はこのクロックを基にして、そのＮ分周を１周期とするＣＯＳ信号で表現される基準キャリア信号Ｃ１を生成する。更に、Ｎ／２分周を１周期、即ち、Ｃ１の２倍の周波数の第２キャリア信号Ｃ２を生成する。また、ウォブル１周期で１パルスだけキャリー信号を生成する。
【００２５】
ＭＳＫマーク検出回路１４は乗算器１２とＬＰＦ１３で構成されている。乗算器１２で再生ウォブリング信号と基準キャリア信号Ｃ１が乗算され、その乗算出力をＬＰＦ１３で濾波することで、ＭＳＫマークが先述の通りに検出される。検出された信号の検出振幅を２値化回路１５で２値化することで、ＭＫＳマーク検出信号として出力する。
【００２６】
ビットシンクマーク間隔検出回路１６は、到来するＭＳＫマーク検出信号の２値化パターンを図示しないシフトレジスタに保持しており、５６ウオブル周期間隔で１が存在する時には、ビットシンク候補として間隔検出信号を出力する。更に、判定回路３１はビットシンクマーク間隔検出回路１６の出力と、後述する鋸波検出回路２５の結果に応じて正常な検出信号のみを抽出し、ビットシンク検出信号として出力する。
【００２７】
ウォブルを１周期ごとにカウントするウォブルカウンタ３２は、このビットシンク検出信号に基づいてカウント値をリセットする。そして、ウォブルカウンタ３２のカウント値は後段の不図示のアドレス検知回路などに出力され、アドレス検知などに使われる。
【００２８】
一方、上述したキャリア信号生成器１０はウォブリング周波数に一致した基準キャリア信号Ｃ１を生成すると共に、その２倍の周波数の第２キャリア信号Ｃ２も生成し出力する。どちらも、クロック数をカウントし、カウント値に応じた振幅値を出力することで、実現している。
【００２９】
鋸波検出回路２５は、乗算器２２、ＬＰＦ２３及び積分器２４で構成され、ＭＳＫマーク検出と同様に上記特開２００３−１２３２６７号公報に記載されているような方法を用いて再生ウォブル信号中に含まれているＣ２成分の符号を検出している（即ち、ＳＴＷ変調波形を復調検出している）。まず、キャリア信号生成器１０からの第２キャリア信号出力Ｃ２と再生ウォブリング信号を乗算器２２で乗算し、その結果をＬＰＦ２３にて濾波する。積分器２４は濾波した出力を所定期間積算していく。この所定期間は、ビットシンクマーク間隔検出信号をスタートタイミングとして、ウォブル周期にして１０周期の間だけ積分動作する。
【００３０】
そして、積分結果を３値化回路２６にて（１，０、−１）のいずれかに３値化する。もし、ＳＴＷｂｉｔ＝１の変調波形であるならば値１として、ＳＴＷｂｉｔ＝０の変調波形であるならば値−１として、どちらでもなくモノトーンウォブル波形であるならば０を出力する。
【００３１】
この動作を図２と図３のタイミングチャートを基に正常動作時とクロストークによる不要信号が混入した場合について説明する。図２は正常動作時のタイミングチャートである。図２（ａ）に示すウォブリング波形の信号に対して、図２（ｂ）はＭＳＫマーク検出信号、図２（ｃ）はマーク間隔検出信号である。また、図２（ｄ）はＳＴＷ検出信号、図２（ｅ）はビットシンク検出信号である。
【００３２】
ここで、矢印Ｐで示すＭＳＫマークを基にマーク間隔検出信号が出力される。従って、Ｔ１で示す期間が積分期間となる。この期間にはＳＴＷ変調が存在しないので、積分結果からの３値検出結果は０となる。図１の判定回路３１は時間遅延を持っていて、このＳＴＷ検出結果と先のマーク間隔検出信号とからビットシンク信号を生成する。この場合には、図２（ｅ）に示すようにＳＴＷ検出結果が正常なので、そのまま間隔検出信号が遅延されて出力される。
【００３３】
次に、図３に示すクロストーク混入時の動作について説明する。ここで、図２と同様に図３（ａ）は再生ウォブル信号、図３（ｂ）はＭＳＫマーク検出信号、図３（ｃ）はマーク間隔検出信号、図３（ｄ）はＳＴＷ検出信号、図３（ｅ）はビットシンク検出信号である。
【００３４】
図３において、矢印Ｐで示すのが当該トラックにおける正常なタイミングで検出したＭＳＫマークのマーク間隔検出信号であり、矢印Ｑで示すのが隣接トラックからのクロストークの影響による誤検出信号である。この時、P及びQに対応する積分期間は、それぞれＴ２、Ｔ３で示す期間となるので、それぞれの積分結果は、０、正値となり、３値化回路２６の出力結果はゼロ及び壱となる。
【００３５】
ここで、STW変調がＳＴＷｂｉｔ＝１の時の例であるが、STW変調がＳＴＷｂｉｔ＝０の時には、この期間Ｔ３における積分結果は負となるので、３値化回路２６の出力は−１をとる。
【００３６】
判定回路３１では３値化の出力が零の時だけ、ＭＳＫマーク検出信号を有効とし、１または−１の場合には無効とする。３値化回路２６の出力が１または−１の場合には、ＭＳＫマーク検出信号をビットシンクとして検出しない。３値化回路２６の出力がゼロの場合には、ＳＴＷｂｉｔ＝１でもなく、ＳＴＷｂｉｔ＝０でもないので、検出したＭＳＫマーク検出信号をビットシンクとして検出する。
【００３７】
その結果、図１の０から５５をカウントするウォブルカウンタ３２に対して、ビットシンクが検出された時には、所定の値をセットし、図３の矢印Ｑのような場合には３値化回路２６の出力が１なので、ビットシンクとみなさないでウォブルカウンタ３２はフリーラン、即ち、先述のキャリー信号をもとにカウントアップする。図示しないが、このウォブルカウンタ３２は各ブロックのタイミング信号の基準となっている。
【００３８】
従って、図３のＱで示すような偽検出信号があっても、ＳＴＷ変調の検出結果を利用した判定回路３１にて無効となり、その結果、ウォブルカウンタ３２に影響を与えないため、ウォブルカウンタ３２の位相をビットシンクマークと正確に安定して同期させることができる。
【００３９】
（第２の実施形態）
図４は本発明の第２の実施形態を示すブロック図である。図４では図１と同一部分には同一符号を付している。本実施形態においては、アドレスワード内の同期をとるためのワードシンクについて誤検出を防止するものである。
【００４０】
ワードシンクはＭＳＫマークのみで表現されているので、ＭＳＫマーク自身は第１の実施形態と同様にキャリア信号生成器１０、ＰＬＬ１１、乗算器１２、ＬＰＦ１３、２値化回路１５で構成される検出回路にて検出することができる。
【００４１】
従来例で説明したようにワードシンクは４種類存在する。これらのパターンは、２つのＭＳＫマークの間隔が１０ウォブルと共通で、且つ、他には間隔１０が存在しない。そこで、間隔検出回路４１では、特に、２つのＭＳＫマーク検出信号のパルス間隔が１０であることを検出して、間隔検出信号を出力する。
【００４２】
更に、判定回路３１はＭＳＫマーク間隔検出回路４１の出力と、鋸波検出回路２５の結果に応じて、正常な検出信号のみを抽出し、所定の時間遅延後、ワードシンク検出信号として出力する。情報ユニット毎にカウントするユニットカウンタ４２は、このワードシンク検出信号に基づいてカウント値をリセットする。そして、ユニットカウンタ４２のカウント値は後段の不図示のアドレス検知回路などに出力され、アドレス検知などに使われる。
【００４３】
鋸波検出回路２５は、第１の実施形態と同様にＳＴＷ変調波形を復調検出する。本実施形態では、積分器２４にて濾波した出力を積分する所定期間は、間隔検出回路４１で検出したワードシンク検出信号をスタートタイミングとして、ウォブル周期にして１０周期の間動作する。
【００４４】
３値化回路２６は、積分結果の値を基に（１、０、−１）のいずれかの値に３値化する。もし、ＳＴＷｂｉｔ＝１の変調波形であるなら値１として、ＳＴＷｂｉｔ＝０の変調波形であるならば値−１として、また、どちらでもなくモノトーン波形であるならば０を出力する。
【００４５】
本実施形態において特徴となるタイミングチャートを図５，図６，図７に示す。これらのタイミングチャートに基づいて正常動作時とクロストークによる不要信号が混入した時の動作を説明する。まず、図５は通常時ワードシンクユニットにおける検出動作を示す。図５（ａ）に示すウォブリング波形の信号に対して、図５（ｂ）はＭＳＫマーク検出信号である。ここで、ワードシンクは４種あるうちのＳＹＮＣ１のパターンである。また、図５（ｃ）は間隔検出信号、図５（ｄ）はＳＴＷ検出信号、図５（ｅ）はビットシンク検出信号である。
【００４６】
矢印PにおいてはＭＳＫマークの間隔として特定の間隔値である１０ウォブル長を検出し、これをスタートタイミングとして、Ｔ４で示す期間がＳＴＷ検出における積分期間となるので３値検出結果は０となる。従って、判定回路３１はＳＴＷ検出結果と先のマーク間隔検出信号とから、図５（ｅ）に示すようにワードシンク検出信号を出力する。
【００４７】
図６は通常時のデータユニットにおける検出動作を示す。図６（ａ）のウォブリング波形の信号に対して、図６（ｂ）はＭＳＫマーク検出信号、図６（ｃ）はマーク間隔検出信号、図５（ｄ）はＳＴＷ検出信号、図６（ｅ）はビットシンク検出信号である。ワードシンク以外のアドレスビットが記録されているユニット以外のおいては、ＭＳＫマークの間隔として１０ウォブルの配置がないため、図６（ｃ）に示すように間隔検出回路４１の出力にはパルスが発生しない。このため、図６（ｅ）に示すようにワードシンク検出信号も発生しない。
【００４８】
図７はクロストーク混入時のデータユニットでの動作を示すタイミングチャートである。ここで、図６と同様に図７（ａ）は再生ウォブル信号、図７（ｂ）はＭＳＫマーク検出信号、図７（ｃ）は間隔検出信号、図７（ｅ）はＳＴＷ検出信号、図７（ｅ）はビットシンク検出信号である。
【００４９】
まず、図７で矢印Ｑで示すのが隣接トラックからのクロストークの影響による誤検出信号である。この時、Ｑの間隔検出信号に対応する積分期間はＴ５で示す期間となるので、積分結果は正値となり、３値化回路２６の出力結果は壱となる。従って、判定回路３１は３値化出力が零の時だけ間隔検出信号を有効とし、１または−１の場合には無効とするので、この場合には、ワードシンク検出信号を出力しない。
【００５０】
その結果、図５に示すようにワードシンク信号が検出された場合には、０から８２をカウントするユニットカウンタ４２に所定の値をセットするが、図７の矢印Ｑに示すように判定回路３１で無効となった時にはワードシンク信号が検出されず、ユニットカウンタ４２はフリーラン、即ち、下位ビットに相当するウォブルカウンタのキャリー信号をもとにカウントアップしている。図示しないが、このユニットカウンタ４２各ブロックにおけるタイミング信号の基準となっている。
【００５１】
従って、本実施形態では、図７にＱで示すようなＭＳＫマーク検出信号内に偽検出信号があっても、STW変調の検出結果を利用した判定回路３１にて無効となり、その結果、ユニットカウンタ４２に影響を与えないため、ユニットカウンタ４２の位相をワードシンクマークと正確に安定して同期させることができ、その後のアドレスビットの検出を正常の行うことができる。
（第３の実施形態）
図８は本発明の第３の実施形態を示すブロック図である。図８では図１と同一部分には同一符号を付している。本実施形態では、第１の実施形態と同様にビットシンクの検出であるが、ＭＳＫマーク信号を検出直後にＳＴＷ波形の有無を検出することで、ＭＳＫマーク信号中のビットシンク信号候補のみを抽出した上で、その間隔を検出し、タイミング同期を検出するものである。
【００５２】
図８では第１の実施形態と同様にＰＬＬ回路１１が再生したウォブリング信号を基にＰＬＬ動作を行い、再生ウォブリング信号と位相同期した基準クロックを生成する。更に、キャリア信号生成器１０はこのクロックを基にそのＮ分周を１周期とするＣＯＳ信号で表現される基準キャリア信号Ｃ１を生成する。また、Ｎ／２分周を１周期、即ち、Ｃ１の２倍の周波数の第２キャリア信号Ｃ２を生成する。
【００５３】
また、ウォブル１周期で１パルスだけキャリー信号を生成している。キャリア信号生成器１０はウォブリング周波数に一致した基準キャリア信号Ｃ１を生成すると共に、その２倍の周波数の第２キャリア信号Ｃ２も生成する。どちらも、クロック数をカウントして、カウント値に応じた振幅値を出力することで実現している。
【００５４】
ＭＳＫマーク検出回路１４は乗算器１２とＬＰＦ１３で構成されている。乗算器１２で再生ウォブリング信号と基準キャリア信号Ｃ１が乗算され、その乗算出力をＬＰＦ１３で濾波することで、ＭＳＫマークが検出される。検出された信号の検出振幅を２値化回路１５で２値化することでＭＫＳマーク検出信号として出力する。
【００５５】
鋸波検出回路２５は、乗算器２２とＬＰＦ２３及び積分器２４で構成され、ＭＳＫマーク検出と同様に上記特開２００３−１２３２６７号公報に記載されているような方法を用いて再生ウォブル信号中に含まれているＣ２成分の符号を検出している（即ち、ＳＴＷ変調波形を復調検出している）。まず、キャリア信号生成器１０からの第２キャリア信号出力Ｃ２と再生ウォブリング信号を乗算器２２で乗算し、その結果をＬＰＦ２３にて濾波する。積分器２５では濾波した出力を所定期間積算していく。この所定期間は、検出したＭＳＫマーク検出信号をスタートタイミングとして、ウォブル周期にして８周期の間だけ積分動作する。
【００５６】
そして、積分結果を３値化回路２６にて（１，０、−１）のいずれかに３値化する。もし、ＳＴＷｂｉｔ＝１の変調波形であるなら値１として、ＳＴＷｂｉｔ＝０の変調波形であるならば値−１として、どちらでもなくモノトーンウォブル波形であるなら０を出力する。
【００５７】
選択回路５１は、積分結果による３値化回路２６の出力がゼロならばＭＳＫマークが検出されても無視し、積分結果による３値化回路２６の出力が１か−１ならば、そのままＭＳＫマーク検出信号を出力する。同期判定回路５２は選択回路５１の出力を基にそのパルス所間隔を調べ、ビットシンクの間隔である５６ウオブルの周期ならば、ビットシンク信号としてシンク検出パルスを出力する。
【００５８】
次に、図９に示すタイミングチャートを参照して動作を説明する。まず、図９（ａ）に示すウォブリング波形の信号に対して、図９（ｂ）はＭＳＫマーク検出信号である。また、図９（ｄ）はＳＴＷ検出信号、図９（ｅ）はビットシンク検出信号である。ここで、Ｐ１、Ｑ１、Ｐ２は本来のＭＳＫマーク検出信号で、Ｑ２がクロストーク等により誤検出した信号である。
【００５９】
P１、P２とも、Ｔ１で示す期間が積分期間となる。この期間にはＳＴＷ変調が存在しないので、積分結果からの３値検出結果は図９（ｄ）に示すように０となる。
【００６０】
一方、Ｑ１、Ｑ２ともＴ２で示す期間が積分期間となる。この期間にはＳＴＷ変調が存在しており、積分結果からの３値検出結果は図９（ｄ）に示すようにともに１となる。そのため、選択回路５１にて、Ｑ１及びＱ２の検出結果はマスクされ、次段の同期判定回路５２には本来のビットシンクに相当するＭＳＫマーク信号のみが供給される。従って、同期判定回路５２はアドレスビット１を示すＭＳＫマーク信号やクロストーク信号等を排除して同期タイミングを検出することができ、図９（ｅ）に示すようにビットシンク信号を生成する。
【００６１】
本実施形態では、偽検出信号のみならず、ビットシンク以外のアドレスビット値を示すＭＳＫマーク検出信号を除去した上で同期検出を行うので、誤った同期検出を防止でき、その結果、ウォブルカウンタ３２に影響を与えないため、ウォブルカウンタ３２の位相をビットシンクマークと正確に安定して同期させることができる。
【図面の簡単な説明】
【００６２】
【図１】本発明による同期検出回路の第１の実施形態を示すブロック図である。
【図２】第１の実施形態の通常時の動作を示すタイミングチャートである。
【図３】第１の実施形態のクロストーク混入時の動作を示すタイミングチャートである。
【図４】本発明の第２の実施形態を示すブロック図である。
【図５】第２の実施形態の通常時シンクユニットでの動作を示すタイミングチャートである。
【図６】第２の実施形態の通常時データユニットでの動作を示すタイミングチャートである。
【図７】第２の実施形態のクロストーク混入時のデータユニットでの動作を示すタイミングチャートである。
【図８】本発明の第３の実施形態を示すブロック図である。
【図９】第３の実施形態の動作を示すタイミングチャートである。
【図１０】従来例のアドレスビットの変調パターンを示す図である。
【図１１】従来例のＡＤＩＰアドレスのビット構成とワード同期パターンを示す図である。
【図１２】従来のＭＳＫマーク検出回路の一例を示すブロック図である。
【図１３】ＭＳＫマークの検出動作を説明する信号図である。
【符号の説明】
【００６３】
１０  キャリア信号生成器
１１  ＰＬＬ回路
１２  乗算器
１３  ＬＰＦ
１４  ＭＳＫマーク検出回路
１５  ２値化回路
１６  ビットシンクマーク間隔検出回路
２２  乗算器
２３  ＬＰＦ
２４  積分器
２５  鋸波検出回路
２６  ３値化回路
３１  判定回路
３２  ウォブルカウンタ
４１  間隔検出回路
４２  ユニットカウンタ
５１  選択回路
５２  同期判定回路
【図１】
2005293801.tif 000003
【図２】
2005293801.tif 000004
【図３】
2005293801.tif 000005
【図４】
2005293801.tif 000006
【図５】
2005293801.tif 000007
【図６】
2005293801.tif 000008
【図７】
2005293801.tif 000009
【図８】
2005293801.tif 000010
【図９】
2005293801.tif 000011
【図１０】
2005293801.tif 000012
【図１１】
2005293801.tif 000013
【図１２】
2005293801.tif 000014
【図１３】
2005293801.tif 000015